(57)【特許請求の範囲】
【請求項１】
通信ネットワークにファクスサーバとクライアントデータ処理装置とを接続し、ファクスサーバとクライアントデータ処理装置とが相互にデータ通信を行なうネットワークファクシミリシステムであって、
前記クライアントデータ処理装置は、複数の宛先への画データ送信を依頼する送信コマンドを発行して前記ファクスサーバに送信し、前記ファクスサーバは、予約コマンド数オーバのため、前記クライアントデータ処理装置が発行する送信コマンドに含まれる複数の宛先の全てを受け付けできない場合には、受け付け拒否の応答を前記クライアントデータ処理装置に通知し、当該クライアントデータ処理装置は、前記受け付け拒否の応答通知を受けると、前記宛先の数を減じた送信コマンドを再発行することを特徴とするネットワークファクシミリシステム。
【請求項２】
通信ネットワークにファクスサーバとクライアントデータ処理装置とを接続し、ファクスサーバとクライアントデータ処理装置とが相互にデータ通信を行なうネットワークファクシミリシステムであって、
前記クライアントデータ処理装置は、複数の宛先への画データ送信を依頼する送信コマンドを発行して前記ファクスサーバに送信し、前記ファクスサーバは、予約コマンド数オーバのため、前記クライアントデータ処理装置が発行する送信コマンドに含まれる複数の宛先の全てを受け付けできない場合には、前記送信コマンドに含まれる複数の宛先毎に、受付の可否を前記クライアントデータ処理装置に通知することを特徴とするネットワークファクシミリシステム。
【発明の詳細な説明】
【０００１】
【発明の属する技術分野】
本発明は、通信ネットワ−クに接続されたクライアントデ−タ処理装置から多数の宛先を含む送信コマンドを受信したときに、確実に各宛先にファクシミリ通信ができる構成としたファクスサ−バに関するものである。
【０００２】
【従来の技術】
最近の通信技術やコンピュ−タ技術の進展に伴い、ファクスサ−バ（以下、本明細書および図面ではＦＡＸサ−バと略記する。）と、クライアントパ−ソナルコンピュ−タ（以下、クライアントＰＣと略記する。）等のクライアントデ−タ処理装置を、ユ−ザ構内通信網（Ｌｏｃａｌ  Ａｒｅａ  Ｎｅｔｗｏｒｋ、以下、ＬＡＮと略記する。）のような通信ネットワ−クに接続して、相互にデ−タ通信を行なうネットワ−クファクシミリシステムが提案されている。
【０００３】
このようなネットワ−クファクシミリシステムにおいては、ＦＡＸサ−バはクライアントＰＣからの送信指示（送信コマンド）に基づいてファクシミリ通信を行なう。ＦＡＸサ−バは、クライアントＰＣから転送される画デ−タを、公衆回線（ＰＳＴＮ；Ｐｕｂｌｉｃ  Ｓｕｂｓｃｒｉｂｅｒ  Ｔｅｌｅｐｈｏｎｅ  Ｎｅｔｗｏｒｋ）を介して接続されているファクス装置に同報送信を行なうときや、複数のクライアントＰＣから同時に多数の送信コマンドを受信したときのように、一度の対応では送信コマンドに対する処理が実行できない場合がある。
【０００４】
すなわち、同報送信を行なうときには、クライアントデ−タ処理装置が発行する１つの同報送信コマンドについてＦＡＸサ−バでは宛先毎の複数の送信コマンドに展開され、予約、実行される。このように一度の対応では予約コマンドに対する処理が実行できない場合には
、未処理の送信コマンドを予約コマンドとして保持し、順次予約コマンドに対する処理を行なっている。
【０００５】
【発明が解決しようとする課題】
このように、ＦＡＸサ−バは、未処理の送信コマンドを予約コマンドとして保持しているが、保持できる予約コマンドの数量には限界がある。このため、処理能力の限界を超えた送信コマンドに対しては予約コマンドとして保持することができず、送信コマンドが無効になるという問題があった。
【０００６】
本発明は上記のような問題に鑑み、通信ネットワ−クに接続されたクライアントデ−タ処理装置から多数の宛先を含む送信コマンドを受信したときに、確実に各宛先にファクシミリ通信ができる構成としたネットワ−クファクシミリシステムの提供を目的とする。
【０００７】
【課題を解決するための手段】
本発明の上記目的は、請求項１に係る発明において、ネットワークファクシミリシステムを、通信ネットワークにファクスサーバとクライアントデータ処理装置とを接続し、ファクスサーバとクライアントデータ処理装置とが相互にデータ通信を行なうネットワークファクシミリシステムであって、前記クライアントデータ処理装置は、複数の宛先への画データ送信を依頼する送信コマンドを発行して前記ファクスサーバに送信し、前記ファクスサーバは、予約コマンド数オーバのため、前記クライアントデータ処理装置が発行する送信コマンドに含まれる複数の宛先の全てを受け付けできない場合には、受け付け拒否の応答を前記クライアントデータ処理装置に通知し、当該クライアントデータ処理装置は、前記受け付け拒否の応答通知を受けると、前記宛先の数を減じた送信コマンドを再発行する構成とすることによって達成される。
【０００８】
また、請求項２に係る発明は、通信ネットワークにファクスサーバとクライアントデータ処理装置とを接続し、ファクスサーバとクライアントデータ処理装置とが相互にデータ通信を行なうネットワークファクシミリシステムであって、前記クライアントデータ処理装置は、複数の宛先への画データ送信を依頼する送信コマンドを発行して前記ファクスサーバに送信し、前記ファクスサーバは、予約コマンド数オーバのため、前記クライアントデータ処理装置が発行する送信コマンドに含まれる複数の宛先の全てを受け付けできない場合には、前記送信コマンドに含まれる複数の宛先毎に、受付の可否を前記クライアントデータ処理装置に通知することを特徴としている。
【００１１】
上記請求項１に係る発明の特徴によれば、全ての宛先に対して受け付けできない場合に、ファクスサ−バは受け付け拒否の応答をクライアントデ−タ処理装置に通知し、クライアントデ−タ処理装置では、宛先の数を減じた送信コマンドを再発行している。このため、クライアントデ−タ処理装置は、宛先数をファクスサ−バの処理能力の限界内に設定するので、ファクスサ−バは各宛先に速やかにファクシミリ通信をすることが可能となる。
【００１２】
また、請求項２に係る発明においては、複数の宛先毎にファクスサ−バは受け付けの可否をクライアントデ−タ処理装置に通知している。このため、いずれの宛先が受け付けられ、また、いずれの宛先が受け付けを拒否されたか、宛先毎に明確に示されるので、受け付けを拒否された宛先に対する対応を確実にすることができる。さらに、クライアントデ−タ処理装置は受け付けを拒否された宛先について、最初に発行した宛先から分割して新たな送信コマンドとしてファクスサ−バに発行すれば、ファクスサ−バは再度各宛先に対する受け付けの可否を判断し、処理能力の範囲内で当該宛先に対してファクシミリ通信をすることができる。
【００１３】
【発明の実施の形態】
以下、本発明に係る実施の形態について図により説明する。図１は、本発明のネットワ−クファクシミリシステム１１の例を示す概略のブロック図である。図１において、ＬＡＮ３には、ＦＡＸサ−バ１とクライアントＰＣ２が接続されている。ＦＡＸサ−バ１とクライアントＰＣ２は、ＬＡＮ３を通して相互にファクシミリ通信やデ−タ通信を行なう。
【００１４】
また、ＦＡＸサ−バ１は、ＰＳＴＮ４を介してグル−プ３ファクシミリ伝送手順で画デ−タの送受信を行なうファクシミリ装置（以下、Ｇ３ＦＡＸと略記する。）５〜７と接続され
、相互にファクシミリ通信を行なう。
【００１５】
クライアントＰＣ２は、ＬＡＮ３を通してＦＡＸサ−バ１に通信予約コマンドＤａを送信する。この通信予約コマンドは、通信宛先の電話番号が示されているリスト８の形式で発行される。これに対して、ＦＡＸサ−バ１は通信予約レスポンスＤｂをクライアントＰＣ２に返送する。
【００１６】
また、クライアントＰＣ２は、ＬＡＮ３に接続されている他のＦＡＸサ−バ等の通信端末装置から受信した画デ−タを、ＦＡＸサ−バ１からＧ３ＦＡＸ５〜７に同報送信するように送信コマンドを送信し、画デ−タをＦＡＸサ−バ１に転送する。この場合には、クライアントＰＣ２は同報送信の指示局となり、ＦＡＸサ−バ１が親局、Ｇ３ＦＡＸ５〜７は子局の関係になる。
【００１７】
ここで、一例としてＦＡＸサ−バ１が最大１００宛先に対する送信コマンドを保持可能とする。そして、現時点においては未処理のコマンドが残存しているので、５０宛先に対する送信コマンドしか予約出来ないものとする。このような状態で、クライアントＰＣ２から５０宛先以上（Ｍ宛先とする）の同報送信をしようとして、送信コマンドをＦＡＸサ−バ１に送信したときのＦＡＸサ−バ１の対応と、ＦＡＸサ−バ１からのレスポンスに対するクライアントＰＣ２の処理は、次の二つがある。
【００１８】
第１の実施の形態は、次の手順により行なう。（１）クライアントＰＣは、Ｍ宛先分の送信指示コマンドをＦＡＸサ−バに対して送信する。（２）これに対してＦＡＸサ−バは、「予約コマンド数オ−バ」のため、予約受け付け「拒否」のレスポンスをクライアントＰＣに返送する。（３）クライアントＰＣは、この「拒否」のレスポンスを受信して、Ｍ−１宛先分の送信指示コマンドをＦＡＸサ−バに対して送信する。
【００１９】
（４）今回受信した送信指示コマンドが、Ｍ−１＞５０であれば、ＦＡＸサ−バは再度「予約コマンド数オ−バ」のため、予約受け付け「拒否」のレスポンスをクライアントＰＣに返送する。（５）クライアントＰＣは、Ｍ＝５０となり、ＦＡＸサ−バから「予約受け付け」のレスポンスが返送されるまで、宛先をＭから１づつ減算して送信指示コマンドをＦＡＸサ−バに対して送信する。
【００２０】
（６）宛先をＭからＮ減算したところで、ＦＡＸサ−バから「予約受け付け」のレスポンスが返送されると、クライアントＰＣは最初のＭ宛先のコマンドを、Ｍ−Ｎ宛先と、Ｎ宛先に分割する。そして、分割されたＮ宛先についての送信コマンドを再発行する。
【００２１】
図２は、前記第１の実施形態のクライアントＰＣにおける処理手順を示すフロ−チャ−トである。次にこのフロ−チャ−トについて説明する。
【００２２】
（１）ステップＳ１の処理で、Ｍ宛先に対する通信予約コマンドを作成し、ステップＳ２の処理で通信予約コマンドをＦＡＸサ−バに対して発行する。次にステップＳ３の処理で、通信予約コマンドはＦＡＸサ−バで受け付け可能かどうかを判定する。この判定結果がＮＯであれば、ステップＳ４で宛先を１減算してステップＳ２の処理に戻る。
【００２３】
（２）前記ステップＳ２〜ステップＳ４のル−プ処理を繰り返し、ステップＳ３の判定結果がＹＥＳになればこのル−プ処理を抜けて、ステップＳ５の処理に移行する。ステップＳ５の処理では、当初の宛先を減らした場合には、未予約分を次の通信予約コマンドに分割する。続いてステップＳ６の処理で、同報送信する画デ−タをＦＡＸサ−バに転送する。
【００２４】
このように、第１の実施の形態では、全ての宛先に対して受け付けできない場合に、ＦＡＸサ−バは受け付け拒否の応答をクライアントＰＣに返送し、クライアントＰＣでは、宛先の数を減じて送信コマンドを再発行している。このため、宛先数をＦＡＸサ−バの処理能力の限界内に設定するので、ＦＡＸサ−バは各宛先に速やかにファクシミリ通信をすることが可能となる。
【００２５】
第２の実施の形態は、次の手順により行なう。（１）クライアントＰＣは、Ｍ宛先分の送信指示コマンドをＦＡＸサ−バに対して送信する。（２）ＦＡＸサ−バは、このコマンド中の予約を受け付けたＮ宛先については「受け付けフラグ」を、受け付けられなかった宛先については「拒否フラグ」を付けたレスポンスをクライアントＰＣに返送する。（３）クライアントＰＣは、「拒否フラグ」が付けられた宛先に関しては、次の送信予約のコマンドに分割し、新たな送信予約コマンドとしてＦＡＸサ−バに発行する。
【００２６】
図３は、前記第２の実施の形態において、クライアントＰＣが作成するＭ宛先分の通信予約コマンドリストの例を示す説明図である。また、図４は、ＦＡＸサ−バからクライアントＰＣへ返送される、前記Ｍ宛先分の通信予約コマンドに対するレスポンスリストの例を示す説明図である。この例では、１番目から４番目までの通信予約コマンドに対しては、「受け付けフラグ」を付けている。また、５番目からＭ番目までの通信予約コマンドに対しては、「拒否フラグ」を付けている。
【００２７】
このように、第２の実施の形態では、複数の宛先毎にＦＡＸサ−バは受け付けの可否をクライアントＰＣに返送している。このため、いずれの宛先が受け付けられ、また、いずれの宛先が受け付けを拒否されたか、宛先毎に明確に示されるので、受け付けを拒否された宛先に対する対応を確実にすることができる。
【００２８】
この例では、クライアントＰＣは受け付けを拒否された宛先について、最初に発行した宛先から分割して新たな送信予約コマンドとしてＦＡＸサ−バに発行している。このため、ＦＡＸサ−バは再度各宛先に対する受け付けの可否を判断し、処理能力の範囲内で当該宛先に対してファクシミリ通信をすることができる。
【００２９】
図５は、本発明に適用されるＦＡＸサ−バに設ける制御装置２０の一例を示す概略のブロック図である。図５において、２１は各種信号やデ−タを処理するための超小型処理装置（以下、ＭＰＵと略記する）、２２はＦＡＸサ−バの各種動作に必要なデ−タやプログラム格納されるＲＯＭ、２３は管理デ−タ等が格納されるＲＡＭである。
【００３０】
２４は受信した画デ−タを記録紙に出力するプリンタ、２５は原稿を読み取り、白黒２値のイメ−ジデ−タである画デ−タを出力する読取部、２６はキ−ボ−ドやマウス等からなる操作部である。ＦＡＸサ−バは、ネットワ−クインタ−フェイス（Ｉ／Ｆ）２７を介してＬＡＮ３に接続される。
【００３１】
ＦＡＸサ−バは、サ−ビス総合デジタル網（ＩＳＤＮ）のインタ−フェイス（Ｉ／Ｆ）２８、デジタル回線終端装置（ＤＳＵ）２９を介してＩＳＤＮに接続される。また、回線制御部（ＮＣＵ）３０を介してＰＳＴＮに接続される。
【００３２】
３１はＰＳＴＮを介して相手先のファクシミリ装置との間で送受信される画デ−タを変調．復調するモデムであり、モデム３１とＮＣＵ３０とはアナログ信号線３１ａで接続される。
【００３３】
符号・復号部３２は、画デ−タを符号化し、復号化する。図形文字発生部３３は、文字コ−ドデ−タをイメ−ジデ−タに変換する。３４は陰極線管（ＣＲＴ）や液晶表示器（ＬＣＤ）を用いた表示部、３５は画デ−タに日時を記入するために用いる時計部、３６は通信管理記録と画デ−タを記憶するハ−ドディスク（ＨＤ）、３７は内部バスである。なお、記憶容量をそれほど必要としない場合には、ハ−ドディスク（ＨＤ）を使用することに代えて画像メモリを用いる構成とすることができる。
【００３４】
また、図１の例では、ＦＡＸサ−バ１とクライアントＰＣ２をＬＡＮ３に接続して相互にデ−タ通信を行なっているが、クライアントＰＣ２に代えて他のＦＡＸサ−バ等のクライアントデ−タ処理装置をＬＡＮ３に接続して、ＦＡＸサ−バ１とデ−タ通信を行なう構成とすることもできる。
【００３５】
【発明の効果】
以上詳述したように請求項１に係る発明によれば、全ての宛先に対して受け付けできない場合に、ファクスサ−バは受け付け拒否の応答をクライアントデ−タ処理装置に通知し、クライアントデ−タ処理装置では、宛先の数を減じた送信コマンドを再発行している。このため、クライアントデ−タ処理装置は、宛先数をファクスサ−バの処理能力の限界内に設定するので、ファクスサ−バは各宛先に速やかにファクシミリ通信をすることが可能となる。
【００３６】
また、請求項２に係る発明においては、複数の宛先毎にファクスサ−バは受け付けの可否をクライアントデ−タ処理装置に通知している。このため、いずれの宛先が受け付けられ、また、いずれの宛先が受け付けを拒否されたか、宛先毎に明確に示されるので、受け付けを拒否された宛先に対する対応を確実にすることができる。さらに、クライアントデ−タ処理装置は受け付けを拒否された宛先について、最初に発行した宛先から分割して新たな送信コマンドとしてファクスサ−バに発行すれば、ファクスサ−バは再度各宛先に対する受け付けの可否を判断し、処理能力の範囲内で当該宛先に対してファクシミリ通信をすることができる。
【図面の簡単な説明】
【図１】本発明の実施の形態に係るＦＡＸサ−バを通信ネットワ−クに接続する例を示すブロック図である。
【図２】本発明の処理手順を示すフロ−チャ−トである。
【図３】通信予約コマンドリストの例を示す説明図である。
【図４】通信予約コマンドに対するレスポンスリストの例を示す説明図である。
【図５】ＦＡＸサ−バの制御装置を示すブロック図である。
【符号の説明】
１    ＦＡＸサ−バ
２    クライアントパ−ソナルコンピュ−タ（ＰＣ）
３    ユ−ザ構内通信網（ＬＡＮ）
４    ＰＳＴＮ
５〜７  Ｇ３ＦＡＸ
８    通信予約コマンドリスト
９    Ｍ宛先分の通信予約コマンドリスト
１０    Ｍ宛先分の通信予約コマンドに対するレスポンスリスト
１１    ネットワ−クファクシミリシステム
【図１】
0004058896.tif 000002
【図２】
0004058896.tif 000003
【図３】
0004058896.tif 000004
【図４】
0004058896.tif 000005
【図５】
0004058896.tif 000006